(57)【要約】【課題】  マスタシリンダの圧力室とリザーバとの連通路に絞り弁機構を設けて、作動液が逆流を応答性良く遮断するようにしたマスタシリンダの信頼性向上を、前記絞り弁機構の機能を安定化させる。【解決手段】  シリンダボディ１とリザーバ８を連接する液通路２０，２１に配設され、シリンダボディ１側に向かうにしたがい径が小さくなるように形成され作動液を流通する連通孔２９を有する浮動弁体２６と、液通路２０，２１内において浮動弁体２６を緩挿して保持可能な環状に形成された座部２７とを有し、ピストン２，５による液通路２０，２１の非封鎖時に、圧力室３，６とリザーバ８間での作動液を流通可能にする開弁状態と、圧力室３，６からリザーバ８に作動液が流通する時に、作動液圧により浮動弁体２６が液通路２０，２１を塞ぐことにより流通不能にする閉弁状態とを切り替える絞り弁機構２４とを設ける。【選択図】図１
2016068597.tif 000002
【特許請求の範囲】
【請求項１】
有底のシリンダボディと、
リザーバと、
前記シリンダボディに形成された取付孔を介して前記リザーバを接続する液通路と、
前記シリンダボディに組み込まれ、当該シリンダボディ内での移動により前記液通路を塞ぐピストンと、
前記ピストンと前記シリンダボディの底面とにより区画形成される圧力室と、
前記液通路に配設され、前記シリンダボディ側に向かうにしたがい径が小さくなるように形成され作動液を流通する連通孔を有する浮動弁体と、
前記液通路内において前記浮動弁体を緩挿して前記浮動弁体を保持可能な環状に形成された座部とを有し、前記ピストンによる前記液通路の非封鎖時に、前記連通孔を介して前記圧力室と前記リザーバ間での作動液を流通可能に前記浮動弁体を保持する開弁状態と、前記圧力室から前記リザーバに作動液が流通する時に、当該圧力室と当該リザーバとの間の圧力差によって前記浮動弁体が前記リザーバ側に移動し、該リザーバに当接し前記液通路を塞ぐことによって作動液を流通不能に前記浮動弁体を保持する閉弁状態とを切り替える絞り弁機構とを具備することを特徴するマスタシリンダ。
【請求項２】
前記浮動弁体は、円錐形に形成されたことを特徴とする請求項１に記載のマスタシリンダ。
【請求項３】
前記座部における前記浮動弁体との当接面は、前記浮動弁体に対して略平行となるようにテーパ状に形成されたことを特徴とする請求項１または２に記載のマスタシリンダ。
【請求項４】
前記浮動弁体には、前記リザーバ側の面にスリットが形成されていることを特徴とする請求項１乃至３に記載のマスタシリンダ。
【発明の詳細な説明】
【技術分野】
【０００１】
本発明は、車両用液圧ブレーキ装置のマスタシリンダ、詳しくは、シリンダボディの内部に設けられる圧力室とリザーバとの間にリザーバ液通路を備え、そのリザーバ液通路に、シリンダボディ内の圧力室からリザーバの液室への作動液（ブレーキ液）の急激な逆流を阻止する絞り弁機構が設置されたマスタシリンダに関する。
【背景技術】
【０００２】
近年、車両用液圧ブレーキ装置は、トラクションコントロール（ＴＲＣ）や走行安全性制御（いわゆるＥＳＣ）などの自動ブレーキ制御機能をもつものが増えてきている。この自動ブレーキ制御機能を持つ車両用液圧ブレーキ装置の中に、自動ブレーキ時に要求される作動液（ブレーキ液）をマスタシリンダの圧力室を経由してリザーバから汲み上げる方式のものがある。この方式の液圧ブレーキ装置に採用するマスタシリンダは、非作動時には作動液がリザーバから圧力室へ抵抗なく流れ、また、ブレーキ操作の初期に起こる圧力室からリザーバへの作動液の逆流は遮断されるようにしたものが望まれる。下記特許文献１は、その要求に応えたマスタシリンダを開示している。
【０００３】
この特許文献１には、リザーバ液通路に首記の絞り弁機構を設けたマスタシリンダが開示されている。このマスタシリンダは、リザーバをシリンダボディに形成した取付け孔に嵌合し、その下方に絞り弁機構を設置する構造である。
【先行技術文献】
【特許文献】
【０００４】
【特許文献１】特開２０００−１４２３６５号公報
【発明の概要】
【発明が解決しようとする課題】
【０００５】
この特許文献１のマスタシリンダは、絞り弁機構として浮動弁体を備えており、この浮動弁体をリザーバと圧力室との間に形成された液通路間に設けており、圧力室がリザーバ内圧よりも低圧な場合、すなわち、作動液がリザーバ側からマスタシリンダ側に流れている場合、絞り弁機構が開弁している。これにより、リザーバから液圧室への作動液の流れを許容する。
【０００６】
また、圧力室からリザーバへの作動液の逆流が起こるときには、圧力差で浮き上がった浮動弁体が弁座に接して絞り弁機構が閉弁し、作動液は浮動弁体に設けた絞り通路を通って絞りこまれるようになっている。
【０００７】
これにより、非作動時のリザーバから圧力室への作動液の流動性を良くしたマスタシリンダでも、作動初期のいわゆる空ストロークが小さく抑えられる効果があり、また、絞り効果により入力側に適度な反力が加えられるため、負圧式ブースタと組み合わせて使用する際に反力が小さいことが原因となって起こるブースタの作動初期の自励振動、異音などが発生せず、滑らかなブレーキ操作フィーリングが得られる。
【０００８】
特許文献１が開示しているマスタシリンダは、シリンダボディに接続されるリザーバの接続部に弁座を形成し、この弁座にシリンダボディによって初期位置が規定される平板状の浮動弁体を着座させて絞り弁機構を閉弁する構成にしているため下記の点が懸念される。
【０００９】
特許文献１の浮動弁体は平板状に形成されているため、浮動弁体が圧力室からリザーバへ流れる（逆戻り）作動液圧を受ける際、例えば、液通路の内壁に隣接する箇所では液通路の中央付近より作動液圧が小さくなることにより、浮動弁体に作用する作動液圧に偏りが生じる。これにより、浮動弁体がリザーバ側へ移動する際、浮動弁体が偏心した状態で移動を開始することにより、応答性良く作動液流路を塞ぐことができず、作動液逆戻り時の作動液の流量を遮断する効果が減少させられる。
【００１０】
そこで、本発明は、マスタシリンダにおいて、圧力室とリザーバとの間の連通路に絞り弁機構を設けて、急激な作動時にマスタシリンダ側からリザーバ側へ作動液の逆流を応答性良く遮断するようにしたマスタシリンダの信頼性向上を、前記絞り弁機構の機能を安定化させて実現することを課題としている。
【課題を解決するための手段】
【００１１】
上記の課題を解決するため、請求項１に係るマスタシリンダは、有底のシリンダボディと、リザーバと、シリンダボディに形成された取付孔を介して前記リザーバを接続する液通路と、シリンダボディに組み込まれ、当該シリンダボディ内での移動により液通路を塞ぐピストンと、ピストンとシリンダボディの底面とにより区画形成される圧力室と、液通路に配設され、シリンダボディ側に向かうにしたがい径が小さくなるように形成され作動液を流通する連通孔を有する浮動弁体と、液通路内において浮動弁体を緩挿して浮動弁体を保持可能な環状に形成された座部とを有し、ピストンによる液通路の非封鎖時に、連通孔を介して圧力室とリザーバ間での作動液を流通可能に浮動弁体を保持する開弁状態と、圧力室からリザーバに作動液が流通する時に、当該圧力室と当該リザーバとの間の圧力差によって浮動弁体がリザーバ側に移動し液通路を塞ぐことによって作動液を流通不能に浮動弁体を保持する閉弁状態とを切り替える絞り弁機構とを具備することを特徴する。
【００１２】
請求項２に係るマスタシリンダは、請求項１において、浮動弁体は、シリンダボディ側に向けて延びる円錐形に形成されたことを特徴とする。
【００１３】
請求項３に係るマスタシリンダは、請求項１または２において、座部における浮動弁体との当接面は、前記浮動弁体に対して略平行となるようにテーパ状に形成されたことを特徴とする。
【００１４】
請求項４に係るマスタシリンダは、請求項１乃至３において、浮動弁体には、リザーバ側の面にスリットが形成されていることを特徴とする。
【発明の効果】
【００１５】
請求項１に係るマスタシリンダによれば、絞り弁機構の浮動弁体は、シリンダボディ側に向かうにしたがい径が小さくなるように形成されている。これにより、上述した作動液の逆戻りが発生した場合、浮動弁体が作動液に押圧されるとともに、浮動弁体と作動液との当接箇所において作動液が分流する。さらに、該当接箇所の対向側では浮動弁体により分流した作動液が合流することにより、この合流点よりも内側の位置において浮動弁体の中心に向けた作動液圧が生じる。これにより、浮動弁体を板状に形成した場合に比べて、浮動弁体に中心に向けた作動液圧が浮動弁体に加わるため、浮動弁体の移動初期において浮動弁体が偏心することを抑制でき、その挙動を安定化することができる。すなわち、より信頼性のある絞り弁機構によりマスタシリンダ側からリザーバ側へ逆流する作動液を応答性良く、かつ正確に遮断できる。
【００１６】
さらに、マスタシリンダの非作動時において、例えば、運転者がブレーキ部材を操作しない場合においてリザーバから各圧力室に作動液を吸入する必要が生じる場合がある。この場合、浮動弁体に形成された連通孔を作動液が流通することにより、リザーバから各圧力室への吸入が妨げられることを避けることができる。
【００１７】
請求項２に係るマスタシリンダによれば、浮動弁体がシリンダボディ側に向けて円錐形に形成されているので、作動弁体の全ての方向における作動液圧に対して上述した作用を生じさせることができるので、より好適に効果を発揮することができる。
【００１８】
請求項３に係るマスタシリンダによれば、マスタシリンダの非作動時において、浮動弁体をより安定な状態で保持することができるので、上述の作動液の逆戻り時において浮動弁体の偏心をより抑制することができる。
【００１９】
請求項４に係るマスタシリンダによれば、浮動弁体とリザーバとの当接面において、浮動弁体に形成されたスリットにより、スリットがない場合に比べて上述の当接面の面積を小さくすることができる。これにより、作動液の逆戻り時において浮動弁体がリザーバに圧着することを防ぐことができる。
【図面の簡単な説明】
【００２０】
【図１】本発明に係るマスタシリンダの第１の実施形態を示す断面図
【図２】本発明に係る絞り弁機構の第１の実施形態を示す断面図
【図３】（ａ）本発明に係る浮動弁体の第１の実施形態を示す正面図  （ｂ）本発明に係る浮動弁体の第１の実施形態を示す平面図
【図４】本発明に係る浮動弁体の第２の実施形態を示す平面図
【図５】本発明に係る絞り弁機構の第３の実施形態を示す正面図
【発明を実施するための形態】
【００２１】
以下、本発明の実施形態により具体的に説明するが、本発明はその趣旨を超えない限り、以下の実施形態によって限定されるものではない。
【００２２】
以下、この発明のマスタシリンダの第１の実施形態を添付図面の図１〜図３に基づいて説明する。図１の符号１はシリンダボディ、２はシリンダボディに組み込まれたプライマリピストン、３は内部の作動液をプライマリピストン２で加圧してブレーキ液圧を発生させる第１圧力室、４はプライマリピストン２の復帰スプリング、５はプライマリピストン２の前方に配置したセカンダリピストン、６は内部の作動液をセカンダリピストン５で加圧してブレーキ液圧を発生させる第２圧力室、７はセカンダリピストン５の復帰スプリング、８はリザーバである。プライマリピストン２とセカンダリピストン５は、シリンダボディ１に案内される。第１圧力室３と第２圧力室６は発生した液圧を吐出する出力ポートＰ１、Ｐ２を備えている。
【００２３】
シリンダボディ１の内部には、プライマリピストン２とセカンダリピストン５が挿通されシリンダボディ１の軸方向に案内される。また、プライマリピストン２の外周をシールするプライマリカップ９、プライマリピストン２の外周においてシリンダと大気間を遮断するセカンダリカップ１０、セカンダリピストン５の外周をシールするプライマリカップ１１、セカンダリピストン５の外周において第１圧力室３とリザーバ８との間を遮断するプレッシャカップ１２を配置している。プライマリカップ９、セカンダリカップ１０、プレッシャカップ１１は、いずれもシリンダボディ１の内周に溝を設けてその溝に収納しており、シリンダボディ１による保持がなされる。
【００２４】
また、各プライマリカップ９，１１の背後（図中右側）に、シリンダボディ１と一体の環状壁１３，１４を形成してこれらの壁でプライマリカップ９，１１の背面を個別に受け支えるようにしている。
【００２５】
環状壁１３，１４は、その内径をプライマリピストン２、セカンダリピストン５の外径よりも大きくし、各環状壁１３，１４と、プライマリピストン２、セカンダリピストン５との間に隙間を設けている。
【００２６】
また、プライマリピストン２とセカンダリピストン５には、マスタシリンダが非作動状態にあるときに各環状壁１３，１４の後部に設けた環状通路１５，１６にそれぞれ連通するピストンポート１７，１８を設けている。そのピストンポート１７，１８は、同一円周上に複数ある。また、シリンダボディ１には環状通路１５，１６をリザーバ８に連通させる環状溝１９、液通路２０，２１および取付け孔２２，２３を設けている。液通路２０，２１は、シリンダボディ１の上部に、そのシリンダボディ１の軸線と略平行に設けられている。
【００２７】
さらに、この第１の実施形態のマスタシリンダは、第１圧力室３とリザーバ８との間の液通路（取付け孔の部分２２）と、第２圧力室６とリザーバ８との間の液通路（取付け孔の部分２３）にそれぞれ絞り弁機構２４を設けている。各絞り弁機構２４は、図２に示すように、リザーバ結合部２５（図１参照）とシリンダボディ１との間に配置している。また、絞り弁機構２４は浮動弁体２６と座部２７とからなり、浮動弁体２６はマスタシリンダが非作動時の場合、取付け孔２２，２３に作動液が流通可能なように中心に孔が形成された環状の座部２７により保持されている。
【００２８】
浮動弁体２６は、作動液よりも比重の大きい材料、例えば、ポリアミド系樹脂や硬質ゴム等で作られている。また、この浮動弁体２６は、図３（ａ）に示すように、シリンダボディ１側に円錐形に延びる円錐部２８から成る。さらに、図３（ｂ）に示すように、浮動弁体２６には、作動液を流通させるための連通孔２９が同心円状に複数個設けられている。この連通孔２９の下端が、浮動弁体２６と座部２７との当接面よりもシリンダボディ１側に位置するように形成されている。また、連通孔２９は後述するリザーバ結合部２５の中央連通路３１を避けるように形成されている。この連通孔２９により、例えば、運転者によるブレーキ操作がされない状態においてＥＳＣ等が作動することによってリザーバ８から各圧力室３，６への作動液の吸入が必要な場合、作動液が連通孔２９を流通することができるので、上述の吸入が妨げられることを避けることができる。
【００２９】
また、リザーバ結合部２５の外周をシリンダボディ１に設けた取付け孔２２，２３に液密に嵌合させている。このリザーバ結合部２５の下端は、浮動弁体２６が当接する弁座３１と作動液を流通させるための中央連通路３１とを有しており、この弁座３０は浮動弁体２６からリザーバ８側（図中上側）に所定距離離れた位置に配置されている。
【００３０】
このように構成した第１実施形態のマスタシリンダは、非作動時、または、運転者によって緩やかなブレーキ操作がなされている場合、すなわち、浮動弁体２６がマスタシリンダ側からリザーバ側への作動液圧（逆流圧）を受けないときには、図２に示すように、浮動弁体２６が取付け孔２２，２３の座部２７に受け支えられる位置まで下降して、浮動弁体２６が開弁状態を維持し、自動ブレーキ制御で要求される作動液はリザーバから図２の点線で示すように、浮動弁体２６の連通孔２９を通って各圧力室に抵抗なく吸い込まれて流出していく。
【００３１】
一方、運転者による急激なブレーキ操作がなされている場合、プライマリピストン２とセカンダリピストン５が前進し、第１圧力室３と第２圧力室６に容積変化が起こってそれぞれの圧力室からリザーバ８に向けて作動液が逆流する。その逆流によって発生する作動液圧により取付け孔２２，２３内の絞り弁機構２４の浮動弁体２６が即座に反応し、中央連通路３１を閉じる。このとき、浮動弁体２６が板状に形成されている場合に比べて、浮動弁体２６の円錐部２８がその作動液圧を受けることにより、浮動弁体２６と作動液との当接箇所の対向側では、浮動弁体２６により分流した作動液が合流することにより、該合流点よりも内側の位置において浮動弁体２６の中心に向けた液圧が生じる。これにより、浮動弁体２６の中心に向けた作動液圧が加わるため、浮動弁体２６の移動初期において浮動弁体２６が偏心することを抑制し、その挙動を安定化することができる。したがって、中央連通路３１に流通する作動液を応答性良く遮断することができる。この遮断により第１圧力室３と第２圧力室６の圧力が高くなり、その圧力がピストンおよび復帰スプリング４，７経由で入力側に伝達されてブレーキペダルに適度な反力が加わり、好適なブレーキ操作のフィーリングが得られる。
【００３２】
また、浮動弁体２６は簡単な方法でシリンダボディ１に組付けられるため、きわめて生産性に優れているとともに、高い逆流圧が作用しても弁座３０がシリンダボディ１に確実に保持されているため信頼性が高くリザーバ８への作動液の逆流を防止できる。
【００３３】
また、座部２７の浮動弁体２６との当接面は、浮動弁体２６の円錐部２８と平行となるようにテーパ状に形成してもよい。これにより、マスタシリンダの非作動時において、浮動弁体２６をより安定した状態で保持することができ、逆流圧時に浮動弁体２６が偏心することを抑制できるので、応答性良く絞り効果を発揮できる。
【００３４】
また、浮動弁体２６に、リザーバ８側の面にスリットを形成しても良い。これにより、浮動弁体２６と弁座３０との当接面の面積をスリットが形成されていない場合よりも小さくできるので、浮動弁体２６が弁座３０に押し付けられることにより圧着することを防げる。
【００３５】
また、図４に示すように、浮動弁体２６のリザーバ８側の面にスリットが形成されている。これにより、浮動弁体２６と弁座３０との当接時において、スリットがない場合に比べて、浮動弁体２６と弁座３０との当接する面積を小さくすることができる。これにより、浮動弁体２６と弁座３０とが圧着することを防ぐことができる。
【００３６】
また、図５に示すように、浮動弁体２６は、円錐部２８と円盤状の台座部３２とが一体的に形成されていても良い。これにより、例えば、浮動弁体２６を絞り弁機構２４へ組み付けする場合、台座部３２がテーパ状に形成されていないため保持し易い形状であるので、安定して組付けることができる。これにより、台座部がない場合に比べて組付け性を向上できる。
【符号の説明】
【００３７】
１  シリンダボディ、２  プライマリピストン、３  第１圧力室、４  復帰スプリング、５  セカンダリピストン、６  第２圧力室、７  復帰スプリング、８  リザーバ、９  プライマリカップ、１０  セカンダリカップ、１１  プライマリカップ、１２  プレッシャカップ、１３，１４  環状壁、１５，１６  環状通路、１７，１８  ピストンポート、１９  環状溝、２０，２１  液通路、２２，２３  取付け孔、２４  絞り機構、２５  リザーバ結合部、２６  浮動弁体、２７  座部、２８  円錐部、２９  連通孔、３０  弁座、３１  中央連通路、３２  台座部、Ｐ１，Ｐ２  出力ポート
【図１】
2016068597.tif 000003
【図２】
2016068597.tif 000004
【図３】
2016068597.tif 000005
【図４】
2016068597.tif 000006
【図５】
2016068597.tif 000007